(57)【特許請求の範囲】
【請求項１】
固定壁面Ａに嵌合凹部２を形成するとともに、嵌合凹部２周縁部に固定した枠部材３により鏡４を固定してなり、枠部材３は、嵌合凹部周縁部に嵌合固定するとともに、内周面に鏡を嵌合させた周壁部５と、鏡４表面の相対向する縁部をそれぞれ被覆係止して掛け渡すととともに、それぞれ一端部を薄肉ヒンジ９を介して周壁部５表面側縁部に連結し、且つ、ヒンジ以外の周縁部に於いて周壁部５表面側縁部に凹凸係合手段10を介して係止した一対の係止板６とから構成してなることを特徴とする化粧用コンパクト容器。
【請求項２】
固定壁面Ａに嵌合凹部２を形成するとともに、嵌合凹部周縁部に固定した枠部材３により鏡４を固定してなり、枠部材３は、嵌合凹部周縁部に嵌合固定するとともに、内周面に鏡を嵌合させた周壁部５と、鏡４表面一縁部を被覆係止して掛け渡すとともに、鏡４の抜き出しを可能に突設した係止板部21と、鏡４表面の相対向する縁部を被覆係止して掛け渡すとともに、一端部を薄肉ヒンジ９を介して周壁部５表面側縁部に連結し、且つ、ヒンジ以外の周縁部に於いて周壁部５表面側縁部に凹凸係合手段10を介して係止した係止板６とからなることを特徴とする化粧用コンパクト容器。
【発明の詳細な説明】
【０００１】
【発明の属する技術分野】
本発明は化粧用コンパクト容器に関する。
【０００２】
【従来の技術】
化粧用コンパクト容器として、例えば、上面に化粧品を収納する化粧品収納凹部を備えた皿状の容器本体と、該本体後部に後部を回動可能に連結して本体上面を開閉可能に設けた蓋体とを、各前部で係脱可能に構成してなるもの、或いは上面をパフ収納部に形成した中皿を、容器本体と蓋体との間に開閉可能に設けたもの、或いは、容器本体にパフ収納部を形成し、中皿上面に化粧品収納凹部を設けたもの等、種々の形態のものが知られている。
【０００３】
これらの化粧用コンパクト容器は鏡を設けているのが一般的で、その固定面として、蓋体裏面がごく普通に挙げられる。また、中皿を有するものにあっては、蓋体裏面の他、中皿の下面を鏡の固定面としている場合もある。また、これら容器に於ける鏡の固定は、一般に両面テープを使用して行う場合が多く、また、鏡周囲の固定面に枠体を融着固定する等の方法が採用される場合もある。
【０００４】
【発明が解決しようとする課題】
近年の廃棄物処理事情によれば、合成樹脂と金属或いは硝子等との分別処理が要望されており、従来のコンパクト容器では、鏡を分離することに考慮が払われておらず、裏面をピッタリ固定した鏡をひきはがすのは極めて困難で、仮に外すことが可能であっても時間，手間が掛かっている。特に、従来容器に於ける鏡はその固定面に鏡と略同形状の凹部を形成して、その中に嵌合固定させている場合が多いため、余計取り外しが困難となる。また、周囲を融着したものにあっては、枠体は容器体同様の肉厚のものであり、その当接面をベタに融着しているので更に分離が困難となる。
【０００５】
本発明は上記した点に鑑みなされたもので、使用済みの容器から鏡を容易に分離することができるとともに、使用時には鏡が外れる等の不都合を生じる虞がなく、確実に固定させておくことができ、また、その構造も簡単な優れた化粧用コンパクト容器を提案するものである。
【０００６】
【課題を解決するための手段】
本請求項１発明の容器は、上記課題を解決するため、固定壁面Ａに嵌合凹部２を形成するとともに、嵌合凹部２周縁部に固定した枠部材３により鏡４を固定してなり、枠部材３は、嵌合凹部周縁部に嵌合固定するとともに、内周面に鏡を嵌合させた周壁部５と、鏡４表面の相対向する縁部をそれぞれ被覆係止して掛け渡すととともに、それぞれ一端部を薄肉ヒンジ９を介して周壁部５表面側縁部に連結し、且つ、ヒンジ以外の周縁部に於いて周壁部５表面側縁部に凹凸係合手段10を介して係止した一対の係止板６とから構成してなることを特徴とする化粧用コンパクト容器として構成した。
【０００７】
また、請求項２発明の容器は、固定壁面Ａに嵌合凹部２を形成するとともに、嵌合凹部周縁部に固定した枠部材３により鏡４を固定してなり、枠部材３は、嵌合凹部周縁部に嵌合固定するとともに、内周面に鏡を嵌合させた周壁部５と、鏡４表面一縁部を被覆係止して掛け渡すとともに、鏡４の抜き出しを可能に突設した係止板部21と、鏡４表面の相対向する縁部を被覆係止して掛け渡すとともに、一端部を薄肉ヒンジ９を介して周壁部５表面側縁部に連結し、且つ、ヒンジ以外の周縁部に於いて周壁部５表面側縁部に凹凸係合手段10を介して係止した係止板６とからなることを特徴とする化粧用コンパクト容器として構成した。
【０００８】
【発明の実施の形態】
以下、本発明の実施例の形態を図面を参照して説明する。
【０００９】
本発明の化粧用コンパクト容器１は、図示例の如く、固定壁面Ａに嵌合凹部２を形成するとともに、嵌合凹部２内の周縁部に固定した枠部材３により鏡４を固定している。
【００１０】
固定壁面Ａは鏡４を固定させるための壁面であり、化粧用コンパクト容器の形態によりその具体的な位置は種々採用できる。一般的には容器本体の後部に後部を回動可能に連結して容器本体上面を開閉可能に設けた蓋体の裏面を固定壁面とするが、容器本体上面を開閉可能に中皿を設けるとともに、中皿上面を開閉可能に蓋体を設けた形態の容器の場合には、中皿裏面を固定壁面としてもよく、従来の化粧用コンパクト容器の鏡を固定する壁面であればどの様な部分であっても採用できる。
【００１１】
鏡４はガラス製で、従来のこの種コンパクト容器に使用されているものが使用でき、その形状も、図示例の如き平面矩形状のものに限らず、例えば、平面円形状、平面楕円形状等種々の形状を採用できる。
【００１２】
枠部材３は、周壁部５と、一対の係止板６とから構成している。
【００１３】
周壁部５は、嵌合凹部２周縁部に嵌合固定するとともに、内周面に鏡４を嵌合させたもので、その形状は、鏡４の形状にあわせて種々の形状を採用でき、また、その固定方法としても、強制的な嵌着固定、或いは接着材による接着、或いは融着、或いはこれらの組み合わせ等種々採用できる。
【００１４】
図１に示す実施例では、横長矩形状をなすとともに、下端を開口した中空に周壁部５を形成しており、内周壁部5aと外周壁部5bとを頂板5cで一体に連結した形状に構成している。また、後部には枠部材３を嵌合させる際に蓋体の軸着部を逃げるための凹部７を形成している。更に、前部両側の内周表面縁部には、それぞれ係止板６を係止させるための係合突起８を突設している。
【００１５】
各、係止板６は、鏡４表面の相対向する縁部をそれぞれ被覆係止して掛け渡す如く一対設けたもので、それぞれ一端部を薄肉ヒンジ９を介して周壁部５表面側縁部に連結し、また、ヒンジ９以外の周縁部に於いて周壁部５の表面側縁部に凹凸係合手段10を介して係止する如く構成している。
【００１６】
各係止板６の形状は、鏡４の表面の相対向する縁部を被覆係止する形状であれば良く、従って鏡４の縁部の形状にあわせて種々選択すると良い。例えば、鏡が矩形状の場合には矩形状を、また、鏡４が円形や楕円形の場合にはその相対向する表面縁部の形状にそれぞれ形成すれば良い。
【００１７】
図１に示す実施例では、周壁部５後部両側の表面側縁部にそれぞれ薄肉ヒンジ９を介して一体に連結した前後方向に長い矩形板状で、先端面に周壁部５の係合突起８下面に係合することにより、両者で凹凸係合手段10を構成する係合突起11を突設しており、鏡４表面の両側縁部を被覆係止する如く構成している。
【００１８】
また、係止板６には指掛け部12を突設すると良い。この指掛け部12も種々の形態を採用でき、指で掴んで係止板の係合を外せる形態であれば、その形状にはこだわらない。図示例では、係止板６先端部より下方へＬ字板状の指掛け部12を突設している。
【００１９】
尚、その凹凸係合手段も、図示例の如く周壁部５表面縁部に設けた係合突条８と、係止板６先端面に設けた係合突条11との係合による手段に限らず、周壁部５内周面に形成した凹溝内に係止板周縁部に突設した係合突条を嵌合させる方法、或いはその逆の方法であっても良い。
【００２０】
図１に示す実施例では、上面に化粧品収納凹部13及びパフ収納凹部14を凹設した皿状の容器本体15と、該本体の後部に後部を回動可能に連結して容器本体15上面を開閉可能に設けた蓋体16とを備え、蓋体16の裏面を矩形状に凹ませた嵌合凹部２を形成し、該凹部内に鏡４を固定する例を示している。また、図示例では、容器本体15の前面中央より後方へ押し込んで形成した凹部17内奥壁に突設した係合突起18に、蓋体16裏面前部より垂設したフック19を係合させて、平蓋状態を維持させる如く構成するとともに、凹部17内に揺動可能に設けた押し釦20の押圧により係合突起18とフック19との係合を解除可能に構成した公知の係合手段を設けている。
【００２１】
上記の如く構成した容器１は、例えば、鏡４を周壁部５内に嵌合させた後、その両側縁表面をそれぞれ被覆係止して係止板６を掛け渡し、各係止板の先端を係合させることにより装着することができる。また、使用後廃棄する際に、各係止板６の係合を外し、各係止板６を開いて鏡４を分離することができる。
【００２２】
図５に示す実施例は、嵌合凹部周縁部に嵌合固定するとともに、内周面に鏡を嵌合させた周壁部５と、鏡４表面一縁部を被覆係止して掛け渡すとともに、鏡４の抜き出しを可能に突設した係止板部21と、鏡４表面の相対向する縁部を被覆係止して掛け渡すとともに、一端部を薄肉ヒンジ９を介して周壁部５表面側縁部に連結し、且つ、ヒンジ以外の周縁部に於いて周壁部５表面側縁部に凹凸係合手段10を介して係止した係止板６とからなる枠部材３を備えている。
【００２３】
従って、図１に示す実施例に於ける一方の係止板６を、上記係止板部21に代えた以外は図１に示す実施例と同様である。この場合には、例えば、係止板部21下部に鏡４の一側部を挿入しつつ周壁部５内周に鏡を嵌合させ、他側部表面を被覆係止して係止板６を掛け渡し、係止板の先端を係合させることにより装着することが出来る。また、取り外しの際には、係止板６の係合を外し、係止板を開いて蓋体を係止板部21と反対側に傾ける等して鏡を引き出し分離することができる。
【００２４】
尚、上記各部材は特に限定しないかぎり合成樹脂により形成すると良い。
【００２５】
【発明の効果】
以上説明した如く、本発明容器は、既述構成とすることにより、使用時には、各係止板或いは係止板と係止板部とが鏡を係止固定していて外れる虞がなく、また、容器使用後の廃棄の際には、係止板の係合を外して容易に鏡と他の合成樹脂材との分離廃棄を行えるという特有の効果を発揮できるものである。
【００２６】
また、鏡の装着も、枠部材の周壁部内へ挿入嵌合させた後、或いは枠部材の周壁部内へ一縁部を係止板部下面に挿入して嵌合させた後、係止板を回動させて周壁部に係合させるだけの簡単な操作で行えるものである。
【００２７】
また、枠部材は合成樹脂により一体に形成することができるため、製造上の利点も兼ね備えている。
【図面の簡単な説明】
【図１】本発明の一実施例を示す斜視図である。
【図２】同実施例の蓋体の斜視図である。
【図３】同実施例の枠部材を示す一部切欠き要部斜視図である。
【図４】同実施例の鏡嵌合部分の縦断面図である。
【図５】本発明の他の実施例の蓋体の斜視図である。
【符号の説明】
２…嵌合凹部，３…枠部材，４…鏡，５…周壁部，６…係止板，
９…薄肉ヒンジ，10…凹凸係合手段，21…係止板部
【図１】
0003784558.tif 000002
【図２】
0003784558.tif 000003
【図３】
0003784558.tif 000004
【図４】
0003784558.tif 000005
【図５】
0003784558.tif 000006